【事件の表示】
　特許第３２１３６８０号「釣り竿」の請求項１及び２に係る特許に対する特許異議の申立てについて、次のとおり決定する。
【結　論】
　訂正を認める。
　特許第３２１３６８０号の請求項１及び２に係る特許を取り消す。
【理　由】
１．手続の経緯
　特許第３２１３６８０号の請求項１及び２に係る発明は、平成７年４月２８日に特許出願され、平成１３年７月１９日にその特許権の設定登録がなされ、その後、小林利子より特許異議の申立てがなされ、取消しの理由が通知され、その指定期間内である平成１４年９月４日に訂正請求がなされたものである。
　
２．訂正の適否
2-1.訂正の内容
　　（１）訂正事項ａ
　特許請求の範囲の請求項１の「握り部を竿管に設けた釣り竿であって」を、「握り部を竿管に設け
、該握り部の外側に間隔をおいて独立した複数の突起体を配設し
（なお、アンダーラインは訂正個所を示す。以下同様。）
　　（２）訂正事項ｂ
　特許請求の範囲の請求項１の「部位以上の広い」を、「部位
に比べてより
　　（３）訂正事項ｃ
　特許請求の範囲の請求項１の「境界部分に形成される」を、「境界部分
の隅肉部に竿管と突起体の側部を連絡するよう
　　（４）訂正事項ｄ
　発明の詳細な説明の段落【０００６】の「握り部を竿管に設けた釣り竿であって」を、「握り部を竿管に設け
、該握り部の外側に間隔をおいて独立した複数の突起体を配設し
　　（５）訂正事項ｅ
　発明の詳細な説明の段落【０００６】の「部位以上の広い」を、「部位
に比べてより
　　（６）訂正事項ｆ
　発明の詳細な説明の段落【０００６】の「境界部分に形成される」を、「境界部分
の隅肉部に竿管と突起体の側部を連絡するよう
　
2-2.訂正の目的の適否、新規事項の有無及び特許請求の範囲の拡張・変更の存否
　上記訂正事項ａ、ｂは、特許請求の範囲の請求項１において、「握り部を竿管に設けた釣り竿であって」を「握り部を竿管に設け
、該握り部の外側に間隔をおいて独立した複数の突起体を配設し
に比べてより
の隅肉部に竿管と突起体の側部を連絡するよう
  上記訂正事項ｄ〜ｆは、上記訂正事項ａ〜ｃにより訂正された特許請求の範囲の記載と発明の詳細な説明の記載の整合を図るものであり、明りようでない記載の釈明を目的とするものである。
　また、上記訂正事項ａ〜ｆは、願書に添付した明細書又は図面に記載した事項の範囲内の訂正であり、実質上特許請求の範囲を拡張し又は変更するものでもない。
　
2-3.むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
3-1.本件発明
　本件特許第３２１３６８０号の請求項１及び請求項２に係る発明（以下「本件発明１」及び「本件発明２」という。）は、訂正明細書の特許請求の範囲の請求項１及び請求項２に記載された次のとおりのものである。
「【請求項１】　握り部を竿管に設け
、該握り部の外側に間隔をおいて独立した複数の突起体を配設し
に比べてより
の隅肉部に竿管と突起体の側部を連絡するよう
　【請求項２】　突起体の上面を露出形成した請求項１に記載の釣り竿。」
　
3-2.引用刊行物に記載された事項
　当審で通知した取消の理由で引用した、実願昭５８−１１７４６５号（実開昭６０−２７６７０号）のマイクロフィルム（異議申立人が提出した甲第５号証）、特開昭６２−１６１３２号公報（同上甲第４号証）には、以下の事項が記載されている。
　
　　ａ．実願昭５８−１１７４６５号（実開昭６０−２７６７０号）のマイクロフィルム（以下「刊行物１」という。）
（ａ−１）「釣竿の握り部位置外周に周方向の少なくとも一側でかつ軸線方向に略等間隔に凸片が突出配置されるように凸形成部材を貼着し、該凸形成部材と握り部の外側に熱収縮性チューブを密着被嵌したことを特徴とする釣竿の握り部。」（１頁実用新案登録請求の範囲）
（ａ−２）「握り部１ａと短冊形凸片状の凸形成部材２の外側に熱収縮性チューブ３が密着被嵌されると第３図のように握り部１ａと凸形成部材２の外周との間に段差２ａがあっても熱収縮性チューブ３の傾斜面３ａで覆われて、段差が直接手に触れず、熱収縮性チューブ３の外表面の感触も柔かいので長時間釣竿の握り部を握って保持しても手が疲れず、痛みも残らず、凸形成部材２によって形成された凹凸で熱収縮性チューブ３の外表凹面３ｂと外表凸面３ｃで手の滑り止めとなる。」（３頁下から６行〜４頁４行）
　これらの記載を含む明細書全体及び図面の記載からみて、刊行物１には、
「握り部１ａを竿管に設け、該握り部の外側に間隔をおいて独立した複数の凸形成部材２を配設した釣竿１であって、前記握り部１ａ外側に貼着され、竿管と接触する面がこれと平行でかつ竿管から離隔する側の部位と同じ断面形状を持つ凸形成部材２と、前記凸形成部材２の高さより厚さが薄く、前記凸形成部材２の上面及び側部を覆って握り部１ａに密着被嵌される熱収縮性チューブ３とを具備する釣竿１。」の発明（以下「刊行物１記載の発明」という。）が記載されていると認められる。
（なお、刊行物１には、「竿管」という用語は記載されていないが、図面第３図をみると、釣竿１は管状の部材で構成されていることから、釣竿１を構成する管状の部材を「竿管」と表現した。）
　
　　ｂ．特開昭６２−１６１３２号公報（以下「刊行物２」という。）
（ｂ−１）「・・・竿本体（１）を形成し、この竿本体（１）の外周面に、突起高さに見合う厚さをもった厚手のステンシルを用い、合成樹脂材料をシルクスクリーン印刷により印刷して、多数の滑り止め突起（２）を形成したことを特徴とする滑り止め突起を備えた釣竿の製造方法。」（１頁左下欄　特許請求の範囲）
（ｂ−２）「第３，４図に示した実施例では、先ず、前記竿本体（１）の外周面に、・・・下地塗層（１１）を形成し、この下地塗層（１１）の表面に、前記シルクスクリーン印刷により合成樹脂の滑り止め突起（２）を多数印刷した後、この滑り止め突起（２）の表面及び該滑り止め突起（２）が形成されていない下地塗層（１１）の表面に、エポキシ樹脂から成るクリアー塗料を塗装して表皮層（１２）を形成するのである。」（２頁左下欄下から３行〜右下欄８行）
（ｂ−３）「第５〜７図に示した実施例では、竿尻側における握り部（１ａ）・・・この握り部（１ａ）に、前記滑り止め突起（２）を設けている。」（３頁左上欄１０〜１６行）
（ｂ−４）「下地塗層（１１）及び表皮層（１２）は必らずしも必要でないが、下地塗層（１１）を設けることにより、前記滑り止め突起（２）の竿本体（１）への密着性を良好にでき、より一層強固に結合できる利点があり、又、前記表皮層（１２）を設けることにより前記滑り止め突起（２）の耐摩耗性を高めることができ、耐久性を増大できる利点がある。」（３頁左下欄１〜８行）
（ｂ−５）「以上の如く本発明は、・・・釣竿を握る手との関係で滑り止め効果が最も高い位置にのみ滑り止め突起（２）を形成でき、・・・握り心地を良好にできるのである。」（３頁左下欄下から７行〜右下欄４行）
（ｂ−６）「滑り止め突起（２）の印刷部位にのみ合成樹脂材料が付着する構造であるから、魚が餌を咥えたときに感じる当たりの感度が低下するのを防止するできると共に、滑り止め効果が高い割に軽量にできるのである。」（３頁右下欄９〜１３行）
　これらの記載を含む明細書全体及び図面の記載からみて、刊行物２には、
「握り部（１ａ）を竿本体（１）に設け、該握り部（１ａ）の外側に間隔をおいて独立した複数の滑り止め突起（２）を配設した釣竿であって、前記握り部（１ａ）外側に付着され、竿本体（１）と接触する面がこれと平行でかつ竿本体（１）から離隔する側の部位に比べてより広い断面形状を持つ滑り止め突起（２）と、この滑り止め突起（２）を埋め込み状態とする、塗料を塗装して形成される表皮層（１２）とを具備する釣竿。」の発明（以下「刊行物２記載の発明」という。）が記載されていると認められる。
　
3-3.対比・判断
・本件発明１について
　本件発明１と刊行物１記載の発明を対比すると、
刊行物１記載の発明における「凸形成部材２」、「貼着」、「熱収縮性チューブ３」は、それぞれ、本件発明１における「突起体」、「接着」、「被膜」に相当するから、
　両者は、
「握り部を竿管に設け、該握り部の外側に間隔をおいて独立した複数の突起体を配設した釣り竿であって、前記握り部外側に接着される突起体と、前記突起体の高さより厚さが薄く、前記突起体の側部を覆う被膜とを具備する釣り竿。」である点で一致し、以下の点で相違する。
〈相違点〉
（１）突起体は、本件発明１では、「竿管と接触する面がこれと平行でかつ竿管から離隔する側の部位に比べてより広い断面形状を持つ」構成であるのに対して、刊行物１記載の発明では、構成が相違し、被膜は、本件発明１では、「突起体を埋め込み状態とする」ものであるのに対して、刊行物１記載の発明では、凸形成部材２（突起体）を埋め込み状態としているかどうか不明である点。
（２）本件発明１では、「被膜は、竿管上に形成される厚さの薄い部分と、竿管と突起体の側部との間の境界部分の隅肉部に竿管と突起体の側部を連絡するように形成される厚さの厚い部分とを有する」構成であるのに対して、刊行物１記載の発明では、熱収縮性チューブ３（被膜）はそのような構成を有しない点。
　
　上記相違点について検討する。
（ｉ）相違点（１）について
　刊行物２記載の発明は、釣竿の発明であり、握り部を竿本体（本件発明１の「竿管」に相当する。以下、同様。）に設け、該握り部の外側に間隔をおいて独立した複数の滑り止め突起（突起体）を配設した釣竿であって、前記握り部外側に付着され、竿本体（竿管）と接触する面がこれと平行でかつ竿本体（竿管）から離隔する側の部位に比べてより広い断面形状を持つ滑り止め突起（突起体）と、この滑り止め突起（突起体）を埋め込み状態とする表皮層（被膜）とを具備するものであるから、上記相違点（１）に係る本件発明１の構成は、刊行物１記載の発明に刊行物２記載の発明を適用して当業者が容易に想到し得たものと認められる。
（ii）相違点（２）について
　凹凸のある表面に、塗料を塗装して被膜を形成すると、凹部と凸部の境界部分の被膜が他の部分と比較して厚くなることは周知の事項（例えば、特公昭６３−２２９７７号公報（特に、４欄３７〜３９行の記載及び図面第４図）、実願昭５９−１８０３９４号（実開昭６１−９５５２４号）のマイクロフィルム（特に、図面第１図）参照。）であるから、刊行物２記載の発明における塗料を塗装して形成される表皮層（被膜）は、竿本体（竿管）上に形成される厚さの薄い部分と、竿本体（竿管）と滑り止め突起（突起体）の側部との間の境界部分の隅肉部に形成される厚さの厚い部分とを有するものであることは明らかである。そうすると、刊行物１記載の発明に刊行物２記載の発明を適用して構成される釣り竿は、上記相違点（２）に係る本件発明１の構成を備えたものといえる。
　そして、本件発明１によって奏せられる効果は、刊行物１記載の発明、刊行物２記載の発明及び上記周知の事項によって奏せられる効果を越える新たな効果を奏するものとは認められない。
　したがって、本件発明１は、刊行物１記載の発明、刊行物２記載の発明に基いて当業者が容易に発明をすることができたものである。
　
・本件発明２について
　本件発明２は、本件発明１に「突起体の上面を露出形成した」という限定事項を付加したものであり、本件発明１は、上記「・本件発明１について」で述べたように、刊行物１記載の発明、刊行物２記載の発明に基いて当業者が容易に発明をすることができたものであるから、上記限定事項について検討する。
　表面に凸部を有し、該表面を覆う被膜を具備したものにおいて、凸部を覆う部分の被膜を除去して凸部の上面あるいは上部を露出し、被膜下の材料の特性を利用する点は、周知技術（例えば、特開昭６１−２５３８号公報、特開昭４９−１３０５０号公報、特開平３−１５４６７３号公報参照。）であるから、刊行物１記載の発明に刊行物２記載の発明を適用して構成した釣り竿において、凸部である突起体の上面を露出形成する程度のことは、当業者であれば容易に想到し得ることである。
　そして、本件発明２によって奏せられる効果は、刊行物１記載の発明、刊行物２記載の発明及び上記周知技術によって奏せられる効果を越える新たな効果を奏するものとは認められない。
　したがって、本件発明２は、刊行物１記載の発明、刊行物２記載の発明及び上記周知技術に基いて当業者が容易に発明をすることができたものである。
　
3-4.むすび
　以上のとおりであるから、本件請求項１及び２に係る発明は、特許法第２９条第２項の規定により特許を受けることができない。
　したがって、本件請求項１及び２に係る発明についての特許は、拒絶の査定をしなければならない特許出願に対してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年９月２５日（２００３．９．２５）
【訂正の要旨】
審決（決定）の【理由】欄参照。
（５４）【発明の名称】
釣り竿
（５７）【特許請求の範囲】
　【請求項１】　握り部を竿管に設け
、該握り部の外側に間隔をおいて独立した複数の突起体を配設し
に比べてより
の隅肉部に竿管と突起体の側部を連絡するよう
　【請求項２】　突起体の上面を露出形成した請求項１に記載の釣り竿。
【発明の詳細な説明】
　【０００１】
　【産業上の利用分野】
　本発明は釣り竿に関し、特に、握り部を改良した釣り竿に関する。
　【０００２】
　【従来の技術】
　釣り竿の握り部には、滑り止め効果を発揮させるための処理が施されている。例えば、特公平４−５９８５７号公報には、釣り竿の握り部にスクリーン印刷により突起を形成することにより滑り止め効果を発揮させることが開示されており、実公平２−１４３８６号公報には、釣り竿の握り部に凸形状を有する部材を配置し、その上に熱収縮性チューブを被せて突出部を形成することにより滑り止め効果を発揮させることが開示されている。
　【０００３】
　【発明が解決しようとする課題】
　しかしながら、釣り竿の握り部にスクリーン印刷により突起を形成する場合、比較的高い突起や大きな形状の突起を形成することができないので、任意な形状・寸法の突起を得ることができず、釣り竿に所望の滑り止め効果を発揮させることができない。
　【０００４】
　また、釣り竿の握り部に凸形状の部材を配置して熱収縮性チューブを被せて突出部を形成するものの場合、凸形状の部材を固定するために充分な厚さを有する熱収縮性チューブが被せられているので、釣り竿の外径が大きくなり、それに伴い釣り竿の重量が重くなる。
　【０００５】
　本発明はかかる点に鑑みてなされたものであり、良好な握持感を有すると共に優れた滑り止め効果を発揮し、しかも握り部の薄型化・軽量化を実現することができる釣り竿を提供することを目的とする。
　【０００６】
　【課題を解決するための手段】
　本発明は、握り部を竿管に設け
、該握り部の外側に間隔をおいて独立した複数の突起体を配設し
に比べてより
の隅肉部に竿管と突起体の側部を連絡するよう
　【０００７】
　【作用】
　本発明の釣り竿は、握り部外側に接着された突起体が、竿管と接触する面が最も広い断面形状を持つことで密着性が向上させて剥離が防止されると共に、この突起体の高さより厚さが薄くかつ竿管上の部分よりも厚い被膜の部分で側部を覆われることにより、この突起体が被膜により埋め込まれて脱離を防止された状態となる。
　【０００８】
　この突起体を埋め込み状態とする被膜は、突起体の高さよりも厚さが薄いため、相対的にこの突起体が低くなるのが防止される。このため、突起体を、滑り止め効果を発揮するために必要最小限の高さに形成することで、肉厚増加による大型化を防止し、釣り竿の握り部が薄型化・軽量化される。
　【０００９】
　さらに、被膜は比較的薄く、特に竿管上に形成される部分の厚さが薄いので、釣り竿に伝わる衝撃等が釣り人の手に伝わり易く、感度の良い釣り竿となる。一方、被膜は比較的薄いものであっても、突起体の側部を覆っているので、突起体の剥離・脱離を防止することができ、長期間の使用に耐える耐久性を発揮する。また、被膜は、突起体のエッジ部の影響を緩和することができ、突起体の滑り止め効果を維持しつつ握持し易い握り部を形成する。
　【００１０】
　【実施例】
　以下、本発明の実施例を図面を参照して具体的に説明する。
（実施例１）図１は、本発明の釣り竿の一実施例を示す平面図である。図中１は元竿を示す。元竿１は、一方の端部に向って拡径するようになっており、その拡径部には握り部Ａが設けられている。また、元竿１の一方の端部には、尻栓２が取り付けられている。なお、元竿１の他方の端部には、穂先竿等の他の竿管（図示せず）が取り付けられている。
　【００１１】
　握り部Ａには、長手方向が元竿１の周方向に沿うようにして複数の帯状の突起体３が所定の間隔をおいて独立して形成されている。また、突起体３を含む領域上には、被膜４が設けられている。すなわち、被膜４は、図２に示すように、元竿１上に形成された突起体３を覆うようにして被膜４が形成されている。したがって、突起体３が被膜４により埋め込まれた状態となる。
　【００１２】
　突起体３の材料としては、プラスチック、コルク、木材、金属、セラミック、強化繊維、ゴム等を用いることができる。突起体３の断面形状は、半円形、半楕円形、台形、矩形等のいずれの形状でもよいが、元竿１と接触する面の寸法ａがこれと平行でかつ竿管から離隔する側の部位の寸法ｂ以上に広くなる形状であることが好ましい。すなわち、図２においてａ≧ｂとなるように設定することが好ましい。これは、突起体３の密着性向上および剥離防止のためである。なお、寸法ａ（断面形状が半円形および半楕円形のときは弦、矩形および台形のときは長辺）は、５００μｍ以上であることが好ましい。これは、寸法ａが５００μｍ未満であると突起体３が剥離し易く、高い突起体３を形成できないからである。
　【００１３】
　突起体３の高さｈは、突起体３の寸法ａの２倍以下、特に寸法ａ以下であることが好ましい。これは、突起体３の高さｈが寸法ａの２倍を超えると突起体３が剥離し易いからである。実際には、突起体３の高さｈは、５０μｍ以上、好ましくは１００μｍ以上であるときに、滑り止め等の効果を充分に発揮する。
　【００１４】
　突起体３を元竿１に取り付ける方法としては、接着、転写、塗料吹き付け等の方法を採用することができる。また、突起体３の数、配置は任意である。例えば、突起体３の配置に関しては、図１に示すように、突起体３の長手方向が元竿１の周方向に沿うようにして形成してもよく、突起体３の長手方向が元竿１の長手方向に沿うようにして形成してもよく、突起体３の長手方向が元竿１の長手方向に対して傾斜するように形成してもよい。あるいは、帯状の突起体３を交差するように形成してもよく、網目状に形成してもよい。
　【００１５】
　被膜４の材料としては、塗料、インキ、接着剤、これらの材料に滑り止め粒子を混合したもの等を用いることができる。被膜４の厚さは、突起体３の高さより小さくなるように設定する。これは、被膜４の厚さが突起体３の高さより大きくなると、相対的に突起体３が低くなり、充分な滑り止め効果を発揮できないからである。ここでいう被膜４の厚さとは、図２において、元竿１上に直接形成されている薄い部分の厚さと、元竿１と突起体３との間の境界部分に形成されている厚い部分の厚さとを含む意味である。したがって、被膜４の厚さを突起体３の高さより小さくするとは、被膜４の厚い部分の厚さを突起体３の高さより小さくするという意味である。
　【００１６】
　上記構成を有する釣り竿は、比較的高い突起体３を有しているので、優れた滑り止め効果を発揮すると共に、薄い被膜４を有しているので、握り部の薄型化・軽量化を図ることができる。また、突起体３は被膜４により埋め込まれているので、突起体３が脱離することを防止することができる。また、被膜４が薄いので、一体感のある外観デザインが可能となる。
　【００１７】
　本実施例においては、握り部Ａに突起体３および被膜４を形成している。この場合、元竿１上に直接または元竿１上に形成した塗膜上に突起体３を形成することにより、直接元竿１を握持することになり、魚信感知性に優れたものとなる。また、被膜４上に滑り止め塗装や撥水塗装を吹き付け、刷毛塗り、シゴキ塗装等の方法で施すことにより、さらに滑り止め性や撥水性を向上させることができる。
（実施例２）図３は、本発明の釣り竿の他の実施例の一部を示す拡大図である。図３に示す釣り竿においては、竿管（元竿１）上に異なる材料で構成された突起体３ａ，３ｂが設けられており、突起体３ａ，３ｂの側部を覆うようにして被膜４が形成されている。したがって、突起体３ａ，３ｂの上面は、外界に露出した状態となっている。
　【００１８】
　この場合において、突起体３ａ，３ｂに異なる材料を用いて、突起体３ａ，３ｂの表面性状（手触り）や硬度を異なるようにすることにより、手触りを強調することができ、握持感を向上させることができる。
　【００１９】
　また、異なる材料からなる複数の突起体を図３に示すように並設させずに、積層させて表面性状（感触）を積層体の下層から変化させてもよい。この場合にも、手触りを強調することができ、握持感を向上させることができる。
　【００２０】
　さらに、図３に示す構成によれば、突起体３ａ，３ｂの材料の選択して、適宜組み合わせることにより、強度、耐摩耗性、重量、感触、外観等の特性を調整することができる。
　【００２１】
　上記構成を有する釣り竿においても、比較的高い突起体３ａ，３ｂを有しているので、優れた滑り止め効果を発揮すると共に、薄い被膜４を有しているので、握り部の薄型化・軽量化を図ることができる。また、突起体３ａ，３ｂの側部は被膜４により被覆されているので、突起体３が脱離することを防止することができる。
　【００２２】
　また、突起体３ａ，３ｂが外界に露出されているので、突起体３ａ，３ｂの材料の特性をそのまま発揮させることができる。この場合、異なる材料からなる複数の突起体を用いることにより、複数の特性を組み合わせた釣り竿を実現することができる。
（実施例３）本発明は、釣り竿の握り部のみではなく、竿管の中間部に釣り糸の密着防止のために適用してもよく、他の部品の表面に滑り止めとして適用してもよい。本実施例では、継合部を着脱するための握り部に適用した場合について説明する。
　【００２３】
　図４は、本発明の釣り竿の継合部を示す正面図である。図４に示す釣り竿においては、小径竿管５と大径竿管６とを接続する継合部７において、小径竿管５および大径竿管６に突起体３および被膜４が設けられている。ここでいう握り部は、小径竿管５と大径竿管６を着脱する際に釣り人が握る部分をいう。
　【００２４】
　図４に示すような小径竿管５が大径竿管６の中空部に収納可能な構成、例えば振出竿においては、突起体３を含む小径竿管５の外径が大径竿管６の内径よりも小さくなるように設定する必要がある。
　【００２５】
　また、突起体３の配置は、図４に示すように、突起体３の長手方向が元竿１の長手方向に沿うようにして形成してもよく、突起体３の長手方向が元竿１の周方向に沿うようにして形成してもよく、突起体３の長手方向が元竿１の長手方向に対して傾斜するように形成してもよい。あるいは、帯状の突起体３を交差するように形成してもよく、網目状に形成してもよい。
　【００２６】
　上記構成を有する釣り竿は、比較的高い突起体３を有しているので、優れた滑り止め効果を発揮すると共に、薄い被膜４を有しているので、握り部の薄型化・軽量化を図ることができる。また、突起体３は被膜４により埋め込まれているので、突起体３が脱離することを防止することができる。
　【００２７】
　また、被膜４上に滑り止め塗装や撥水塗装を施すことにより、さらに滑り止め性や撥水性を向上させることができる。上記実施例１〜３においては、竿管（竿本体）に突起体を接着等により設けた例について説明しているが、竿管に突起体を設ける方法はこの方法に限定されず、図５に示すような台紙１１上に形成された接着剤層１２上に突起体１３を有するシートを用いて突起体を設けてもよい。前記シートを用いることにより、複雑なパターンや形状の突起体を容易に設けることができる。なお、突起体１３は、所定の厚さのシールを単層でまたは積層して高さを調整することができる。さらに、シート上に滑り止め塗装や撥水塗装を施すことにより、滑り止め性や撥水性を向上させることができる。さらに、突起体３，１３により文字や模様を構成することにより、優れたデザインを有する釣り竿になる。
　【００２８】
　【発明の効果】
　以上説明したように本発明の釣り竿は、握り部外側に接着されかつ竿管と接触する面がこれと平行でかつ竿管から離隔する側の部位以上に広い断面形状を持つ突起体と、この突起体の高さより厚さが薄く、突起体の側部を覆ってこの突起体を埋め込み状態とする被膜とを具備し、この被膜は、竿管上に形成される厚さの薄い部分と、竿管と突起体の側部との間の境界部分に形成される厚さの厚い部分とを有することにより、被膜が薄い、一体感のある外観デザインが可能となり、長期間にわたって握り部が良好な握持感を有すると共に優れた滑り止め効果を発揮し、しかも握り部の薄型化・軽量化を実現することができる。
【図面の簡単な説明】
　【図１】
本発明の釣り竿の一実施例を示す正面図。
　【図２】
図１に示す釣り竿のＡ部を示す拡大図。
　【図３】
本発明の釣り竿の他の実施例の一部を示す拡大図。
　【図４】
本発明の釣り竿の他の実施例を示す正面図。
　【図５】
本発明の釣り竿に使用される突起形成用シートを示す断面図。
　【符号の説明】
　１…元竿、２…尻栓、３，３ａ，３ｂ，１３…突起体、４…被膜、５…小径竿管、６…大径竿管、７…継合部、１１…台紙、１２…接着剤層。